(57)【要約】【課題】手の大小に拘わらずに指の挿入が容易であるとともに指が抜けにくく、清掃の際に、手と清掃具とのずれが生じにくく安定して清掃を行うことができる清掃具を提供すること。【解決手段】互いに直交する第１方向Ｘ及び第２方向Ｙを有するシート状の清掃具１Ａであって、第２方向Ｙの端部域それぞれにスリット状の第１指挿入部２，２が形成されており、第１指挿入部２，２それぞれは、第２方向Ｙの内方に向かって凸の平面視形状の第１スリット部２１及び第２方向Ｙの外方に向かって凸の平面視形状の第２スリット部２２を有すると共に、全体として第１方向Ｘに沿って延びている。【選択図】図１
2019017877.tif 000002
【特許請求の範囲】
【請求項１】
互いに直交する第１方向及び第２方向を有するシート状の清掃具であって、
第２方向の端部域それぞれにスリット状の第１指挿入部が形成されており、
第１指挿入部それぞれは、第２方向の内方に向かって凸の平面視形状の第１スリット部及び第２方向の外方に向かって凸の平面視形状の第２スリット部を有すると共に、全体として第１方向に沿って延びている清掃具。
【請求項２】
第１方向における第１指挿入部が設けられた領域より一端側における、第２方向の端部域に第２指挿入部が設けられている、請求項１に記載の清掃具。
【請求項３】
第１方向における第１指挿入部が設けられた領域より一端側における、第２方向の中央域に第３指挿入部が設けられている、請求項１に記載の清掃具。
【請求項４】
前記清掃具の第１方向の長さが、第１指挿入部同士間の距離の１００％以上２５０％以下である、請求項１〜３の何れか１項に記載の清掃具。
【請求項５】
第１指挿入部は、第１スリット部を挟んで第２スリット部とは反対側に、第２方向の外方に向かって凸の平面視形状を有する第３スリット部を備えている、請求項１〜４の何れか１項に記載の清掃具。
【請求項６】
第２方向の一方の端部域と他方の端部域とで、第１スリット部及び第２スリット部の位置が、共に第１方向にずれている、請求項１〜５の何れか１項に記載の清掃具。
【請求項７】
第１スリット部と第２スリット部とが第１方向に連設されている、請求項１〜６の何れか１項に記載の清掃具。
【請求項８】
前記清掃具の少なくとも片面の表面に螺旋状の捲縮繊維が配されている、請求項１〜７の何れか１項に記載の清掃具。
【発明の詳細な説明】
【技術分野】
【０００１】
本発明は、シート状の清掃具に関する。
【背景技術】
【０００２】
シート状の清掃用具に関し、特許文献１には、シート状の基板の周側部に切り込みを設け、該切り込みに手を挿入することにより把持可能となっている使い捨てブラシが記載されている。この使い捨てブラシは、基板の長手方向の両端部それぞれに、該基板の幅方向に向けてスリット状の切り込みが設けられており、同文献には、手により把持して、通常のブラシと同様に用いることができると共に、左右いずれの手であるかを問わずに用いることができると記載されている。
【０００３】
また、特許文献２には、可撓性シートの周縁にスリットが設けられたブラシであり、スリットに指を入れてブラシを手に掛けた状態で、手及びブラシに被せることが可能となる不織布製の袋を備えた清掃用拭き具が記載されている。この清掃用拭き具は、ブラシに不織布製の袋を被せて使用することになるので、ブラッシングの際に犬や猫等の毛がブラシには付着しないようになり、ブラシから犬や猫等の毛を除去する手間を省くことができると記載されている。
【先行技術文献】
【特許文献】
【０００４】
【特許文献１】特開２０００−１０６９３７号公報
【特許文献２】特開２００２−１９１４３７号公報
【発明の概要】
【発明が解決しようとする課題】
【０００５】
しかし、特許文献１に記載の使い捨てブラシは、基板の長手方向両端部に設けられた切り込みに対し、該基板の長手方向に手を挿入するものであるため、清掃の際、切り込みに手を挿入した状態で手を基板の長手方向に動かした場合に、手と使い捨てブラシとがずれやすい傾向にある。
しかも、特許文献１に記載の使い捨てブラシは、多数の突起を備えており、ペット等の毛を梳くようにして使用するものであり、そのような使用方法であれば、手と使い捨てブラシのずれはそれほど気になることなく使用可能であるが、清掃の際に清掃具と清掃対象物との間に比較的大きな摩擦が生じる場合、例えば、摩絨毯、ソファー、車のシートやカーペット等の布製品を清掃する場合等には、手と使い捨てブラシとの間に大きなずれが生じやすくなり、安定した清掃がしづらくなる。
【０００６】
他方、特許文献２に記載の清掃用拭き具は、不織布製の袋の大きさによって、清掃用拭き具を使用できる手の大きさが決まってしまうため、手の大きい人と手の小さい人の両方が使用することは困難である。
【０００７】
本発明の課題は、従来技術が有する上述した解決課題を解決し得る清掃具を提供することにある。
【課題を解決するための手段】
【０００８】
本発明は、互いに直交する第１方向及び第２方向を有するシート状の清掃具であって、第２方向の端部域それぞれにスリット状の第１指挿入部が形成されており、第１指挿入部それぞれは、第２方向の内方に向かって凸の平面視形状の第１スリット部及び第２方向の外方に向かって凸の平面視形状の第２スリット部を有すると共に、全体として第１方向に沿って延びている清掃具を提供するものである。
【発明の効果】
【０００９】
本発明の清掃具によれば、手の大小に拘わらずに指の挿入が容易であるとともに指が抜けにくく、清掃の際に、手と清掃具とのずれが生じにくく清掃を安定して行うことができる。
【図面の簡単な説明】
【００１０】
【図１】図１（ａ）は、本発明の第１実施形態の清掃具の平面図であり、図１（ｂ）は、図１（ａ）の清掃具における掌領域近傍の拡大図である。
【図２】図２（ａ）は、図１の清掃具における第１指挿入部の拡大図であり、図２（ｂ）は、図１の清掃具における第２指挿入部の拡大図である。
【図３】図３は、本発明の第１実施形態の清掃具の使用状態を示す平面図である。
【図４】図４は、本発明の第２実施形態の清掃具の平面図である。
【図５】図５は、本発明の第３実施形態の清掃具の平面図であり、図５（ａ）は、第１仮想線と第３指挿入部との距離を示す図、図５（ｂ）は、第２仮想線と第３指挿入部との距離を示す図である。
【図６】図６（ａ）は、本発明の第４実施形態の清掃具の平面図であり、図６（ｂ）は、図６（ａ）の清掃具における第１指挿入部の拡大図である。
【図７】図７は、本発明の第５実施形態の清掃具の平面図である。
【図８】図８は、本発明の第６実施形態の清掃具の平面図である。
【図９】図９（ａ）及び図９（ｂ）は、第１〜第６実施形態の清掃具の他の構成要素の組み合わせ例を示す平面図である。
【図１０】図１０は、本発明の清掃具の更に他の実施形態を示す平面図である。
【発明を実施するための形態】
【００１１】
以下、本発明をその好ましい実施形態に基づいて詳細に説明する。
図１には、本発明の第１実施形態の清掃具１Ａが示されている。
第１実施形態の清掃具１Ａは、図１に示すように、平面視において互いに直交する第１方向Ｘ及び第２方向Ｙを有している。第１方向Ｘ及び第２方向Ｙは、清掃具１Ａを手に装着したときに、手の幅方向に沿う方向を第２方向Ｙとし、中指の先端から手首に向かう手長方向に沿う方向を第１方向Ｘとする。なお、手の幅方向と第２方向Ｙとは完全に平行でなくても良く、概ね平行であれば良い。また、中指の先端から手首に向かう方向と第１方向Ｘとは完全に平行でなくても良く、概ね平行であれば良い。
第１実施形態の清掃具１Ａは、互いに平行な一対の第１辺２ｘと互いに平行な一対の第２辺２ｙとを有する四角形状の平面視形状を有し、第１方向Ｘは、第１辺２ｘと平行な方向であり、第２方向Ｙは、第２辺２ｙと平行な方向である。第１実施形態の清掃具１Ａは、第１辺２ｘを長辺、第２辺２ｙを短辺とする長方形状の平面視形状を有するが、正方形の平面視形状を有していても良い。また、角部を丸めた長方形状や正方形状を有していても良い。
【００１２】
清掃具１Ａは、図１及び図３に示すように、手に装着したときに、装着者の第２〜第４指の指先側に配される指先側領域Ｆ、装着者の手首側に配される手首側領域Ｗ、及び指先側領域Ｆと手首側領域Ｗとの間の掌領域Ｐに区分することができる。第１指、第２指、第３指、第４指及び第５指は、順に親指、人指し指、中指、薬指及び小指を意味する。
【００１３】
また清掃具１Ａは、図１に示すように、第２方向Ｙに関し、中央域Ｃ及び端部域Ｓ，Ｓに区分される。第２方向Ｙの中央域Ｃは、清掃具１Ａの第２方向Ｙにおける全長を３等分して３領域に区分したときに中央に位置する領域であり、第２方向Ｙの端部域Ｓは、同様にして３領域に区分したときに前記中央域Ｃの両側に位置する領域である。清掃具１Ａの第２方向Ｙにおける全長とは、清掃具１Ａの第２方向Ｙの一方の端に接し第１方向Ｘに沿う仮想線と、第２方向Ｙの他方の端に接し第１方向Ｘに沿う仮想線との間の長さＬ２を意味する（図１０参照）。
【００１４】
また清掃具１Ａは、図１に示すように、第１方向Ｘに関し、中央域Ｍ及び端部域Ｅに区分される。第１方向Ｘの中央域Ｍは、清掃具１Ａの第１方向Ｘにおける全長を５等分したときに中間に位置する５分の３の領域である。第１方向Ｘの端部域Ｅは、清掃具１Ａの第１方向Ｘにおける全長を５等分したときに中央域Ｍの両側に位置する５分の１の領域である。清掃具１Ａの第１方向Ｘにおける全長とは、清掃具１Ａの第１方向Ｘの一方の端に接し第２方向Ｙに沿う仮想線と、第１方向Ｘの他方の端に接し第２方向Ｙに沿う仮想線との間の長さＬ１を意味する。尚、清掃具１Ａでは第１方向Ｘの端部域Ｅ，Ｅは指先側領域Ｆ及び手首側領域Ｗに位置しており、第１方向Ｘの中央域Ｍは掌領域Ｐを含んでいる。
【００１５】
清掃具１Ａは、単層又は多層構造のシート材からなる。清掃具１Ａが、シート材からなることで、複数枚を重ねて包装袋に収容したり、複数枚を重ねて保管したりすることができ効率的である。
清掃具１Ａは、清掃対象面に存するごみの掻き取り性能を有する繊維（以降、ごみの掻き取り性能を有する繊維又は第２繊維とも称す）を含んでいることが好ましい。そのような繊維としては、例えば剛性の高い繊維を用いることが好ましい。剛性の高い繊維としては、（イ）繊維を構成する材料自体の剛性が高いことに起因して繊維自体の剛性も高くなる繊維や、（ロ）繊維を構成する材料の種類にかかわらず、繊維が太くなることで剛性が高くなる繊維（以下、この繊維のことを「太径繊維」とも言う。）などが挙げられる。（イ）の繊維としては、例えば各種の金属からなる繊維などが挙げられる。（ロ）の太径繊維としては、例えば繊維形成能を有する合成樹脂からなり且つ繊維径の大きな繊維が挙げられる。これら（イ）及び（ロ）の繊維のうち、製造のしやすさや経済性の点から、（ロ）の繊維を用いることが好ましい。
【００１６】
ごみの掻き取り性能を有する繊維に（ロ）の太径繊維を用いる場合には、該太径繊維の繊維径は、ごみに対する十分な掻き取り性能又は十分な捕集性能を発現させる観点から、２０μｍ以上であることが好ましく、３０μｍ以上であることが更に好ましく、４０μｍ以上であることが一層好ましい。繊維径は大きければ大きいほど、ごみの掻き取り性能が向上するが、清掃具の製造のしやすさや経済性、またカーペット等へのダメージ防止の点から、上限を１２０μｍ以下とすることが好ましく、１１０μｍ以下とすることが更に好ましく、１００μｍ以下とすることが一層好ましい。例えば繊維径は、２０μｍ以上１２０μｍ以下であることが好ましく、３０μｍ以上１１０μｍ以下であることが更に好ましく、４０μｍ以上１００μｍ以下であることが一層好ましい。
【００１７】
（ロ）の太径繊維を用いる場合、該太径繊維は、捲縮していてもよく、あるいは捲縮していなくてもよい。また、太径繊維として、熱の付与によって螺旋状の捲縮が発現する繊維である潜在捲縮繊維を用いてもよい。ごみの掻き取り性能及び汚れの除去性を一層向上させる観点から、太径繊維は螺旋状の捲縮繊維であることが好ましい。
【００１８】
清掃具１Ａが、単層構造のシート材からなる場合のシート材は、親水性層からなるものでも、疎水性層からなるものでも良い。ごみの掻き取り性能を有する繊維は、疎水性層に含まれていることが好ましい。
また清掃具１Ａが、多層構造のシート材からなる場合、ごみの掻き取り性能を有する繊維が何れかの層に含まれていることが好ましく、清掃対称面に接触する片面又は両面に含まれていることが好ましい。また片面又は両面を構成する表面層に、ごみの掻き取り性能を有する繊維が含まれている一方、その表面層以外の層に、親水性繊維の層を含むことも好ましい。その親水性繊維は、片面又は両面の表面層に含まれる、ごみの掻き取り性能を有する繊維よりも繊維径が小さい繊維であることが好ましい。
【００１９】
清掃具１Ａが多層構造のシート材からなる場合は、親水性繊維を含む親水性層と、疎水性繊維を含む疎水性層を含むことが好ましい。
親水性層は親水性繊維のみを含んで構成されていてもよく、あるいは親水性繊維に加えて他の繊維を含んで構成されていてもよい。親水性層が親水性繊維に加えて他の繊維を含んでいる場合、他の繊維が含まれる割合は、親水性層の質量に対して２０質量％以上であることが好ましく、３０質量％以上であることが更に好ましい。また、８０質量％以下であることが好ましく、７０質量％以下であることが更に好ましい。例えば他の繊維が含まれる割合は、親水性層の質量に対して２０質量％以上８０質量％以下であることが好ましく、３０質量％以上７０質量％以下であることが更に好ましい。親水性繊維としては、天然繊維、再生繊維、及び繊維形成能を有する合成樹脂からなる合成繊維の表面に親水化処理を施した繊維などを用いることができ、天然繊維及び再生繊維を用いることが好ましい。天然繊維としては、例えばセルロース繊維が挙げられ、具体例としてはコットンやパルプ等が挙げられる。再生繊維としては、例えばレーヨン、キュプラ、リヨセル、テンセル等から選ばれる１種又は２種以上を用いることができる。繊維形成能を有する合成樹脂からなる合成繊維の表面に施す親水化処理としては、例えば各種界面活性剤の塗布又は樹脂中への練り込みや、コロナ放電処理などが挙げられる。親水性繊維は１種を単独で又は２種以上を組み合わせて用いることができる。
【００２０】
親水性層に、親水性繊維に加えて他の繊維が含まれる場合、該他の繊維としては、例えばバインダーの役割をする熱融着性繊維が好ましく挙げられ、具体的には、ポリエステル、ポリエチレン、低融点ポリエステル、低融点ポリエチレン、変性ポリエチレン、ポリプロピレンなどから選ばれる１種又は２種以上を用いることができる。これらの繊維は１種を単独で又は２種以上を組み合わせて用いることができる。親水性層の強度、水性液の保持及び放出の制御、また水性液に水以外の成分が含んでいる場合の該成分の保持及び放出の制御等の観点から、親水性層に熱融着性繊維が含まれる割合は、５０質量％以上であることが好ましく、５５質量％以上であることが更に好ましく、また８０質量％以下であることが好ましく、７５質量％以下であることが更に好ましい。例えば熱融着性繊維が含まれる割合は、親水性層の質量に対して５０質量％以上８０質量％以下であることが好ましく、５５質量％以上７５質量％以下であることが更に好ましい。また、同観点から、親水性層に熱融着性繊維が含まれる割合は、親水性繊維より多いことが好ましい。
【００２１】
疎水性層は第２繊維のみを含んで構成されていてもよく、あるいは第２繊維に加えて他の繊維を含んで構成されていてもよい。第２繊維層が第２繊維に加えて他の繊維を含んでいる場合、他の繊維が含まれる割合は、疎水性層の質量に対して１０質量％以上であることが好ましく、２０質量％以上であることが更に好ましい。また、８０質量％以下であることが好ましく、７０質量％以下であることが更に好ましい。例えば他の繊維が含まれる割合は、疎水性層の質量に対して１０質量％以上８０質量％以下であることが好ましく、２０質量％以上７０質量％以下であることが更に好ましい。
【００２２】
疎水性繊維としては、例えば、ポリエチレン（ＰＥ）、ポリプロピレン（ＰＰ）等のポリオレフィン；ポリエチレンテレフタレート（ＰＥＴ）、ポリブチレンテレフタレート（ＰＢＴ）等のポリエステル；ナイロン（登録商標）、ナイロン６等のポリアミド；アクリル等の合成樹脂から作られた熱可塑性繊維などを用いることができる。また、合成繊維の繊維構成としては、１種類の樹脂からなる単一繊維でも良く、融点の異なる２種類以上の樹脂を含む複合繊維でも良い。複合繊維としては、相対的に融点の低い樹脂（低融点樹脂）を鞘部、相対的に融点の高い樹脂（高融点樹脂）を芯部とした芯鞘型；低融点樹脂と高融点樹脂とが所定方向に並列したサイドバイサイド型等が挙げられる。
【００２３】
親水性層と疎水性層は、それらの対向面において、所定の接合手段によって接合されていることが好ましい。接合手段としては、親水性層及び疎水性層にそれぞれ含まれる繊維の材質等に応じて適切な手段が選択される。例えば親水性層及び疎水性層の双方に熱融着性繊維が含まれている場合には、熱エンボスロールによる挟圧や熱風の吹き付け等を用いた熱融着によって両層を接合することができる。熱融着以外の接合手段としては、例えば接着剤を用いた接着や縫合などが挙げられるが、これらに限られない。また、２種以上の接合手段を組み合わせて用いることもできる。
【００２４】
清掃具１Ａに後述するスリットを形成し易くする観点や、後述するスリットに手を挿入して清掃する際に清掃具に十分な強度を持たせる観点から、清掃具１Ａは剛性の高い繊維を含むことが好ましい。剛性の高い繊維としては、ＰＥＴ、芯ＰＥＴ／鞘ＰＥの複合繊維等の合成繊維が挙げられる。また清掃具１Ａが多層構造のシート材からなる場合は、同様の観点から、シート材を３層構造とし、ＰＥＴを含む層と、芯ＰＥＴ／鞘ＰＥの複合繊維を含む層との間に、パルプを含む層を配することが好ましい。また、パルプを含む層にはバインダー繊維が含まれていることが好ましい。
【００２５】
清掃具１Ａにおいては、図１に示すように、第２方向Ｙの端部域Ｓそれぞれにスリット状の第１指挿入部２，２が形成されている。第１指挿入部２，２は、清掃具１Ａを手に装着するときに、例えば親指及び小指を挿入するための挿入部である。第１指挿入部２は、全体として第１方向Ｘに沿って延びており、第１実施形態では平面視して第２方向Ｙの内方に向かって凸の部分と第２方向Ｙの外方に向かって凸の部分とを有するなだらかな湾曲線状に形成されている。なお、内方は清掃具１Ａの中心に近づく方向を意味し、また外方は清掃具１Ａの辺に近づく方向を意味する。第１指挿入部２が、全体として第１方向Ｘに沿って延びているとは、第１方向Ｘにおける第１指挿入部２の両端を結ぶ仮想直線Ｌを引いたときに、該仮想直線Ｌと第１方向Ｘと平行な直線Ｌｘとのなす角度θ（図１０参照）が４５度未満であることを意味する。第１方向Ｘにおける第１指挿入部２の両端とは、第１方向Ｘにおける第１指挿入部２の最も指先領域Ｆ側にある一端と第１方向Ｘにおける第１指挿入部２の最も手首領域Ｗ側にある他端とを意味する。前記なす角度θは、０度以上であることが好ましく、３度以上であることが更に好ましく、また２０度以下であることが好ましく、１０度以下であることが更に好ましい。
【００２６】
また、第２方向Ｙの端部域Ｓそれぞれに位置する第１指挿入部２，２どうしは、第１方向Ｘの長さＨが同じであることが好ましい。第１指挿入部２の第１方向Ｘの長さＨとは、上述の仮想直線Ｌを対角線にもつ長方形の第１方向Ｘに沿う辺の長さＨを意味する（図２（ａ）参照）。
清掃具１Ａでは、第１指挿入部２，２は、第１方向Ｘにおける掌領域Ｐに位置していると共に、第１方向Ｘにおける中央域Ｍに位置している。尚、清掃具１Ａは、図１に示すように、第１方向Ｘに延びる中心線ＣＬに対して線対称に形成されている。清掃具１Ａが中心線ＣＬに対して線対称に形成されていることにより、清掃具１Ａをひっくり返した場合にも第１指挿入部２に指を挿入することができるため、清掃具１Ａのどちらの面を清掃対称面に向けた場合でも清掃具１Ａを使用することができる。
【００２７】
第１指挿入部２，２の第１方向Ｘの長さＨは、第１指挿入部２に指を入れやすくする観点から、好ましくは２５ｍｍ以上、より好ましくは３０ｍｍ以上であり、第１指挿入部２から指を抜けにくくする観点から、好ましくは６０ｍｍ以下、より好ましくは５０ｍｍ以下であり、第１指挿入部２に指を入れやすくし且つ第１指挿入部２から指を抜けにくくする観点から、好ましくは２５ｍｍ以上６０ｍｍ以下、より好ましくは３０ｍｍ以上５０ｍｍ以下である。
【００２８】
第１指挿入部２，２それぞれは、図１に示すように、第２方向Ｙの内方に向かって凸の平面視形状の第１スリット部２１及び第２方向Ｙの外方に向かって凸の平面視形状の第２スリット部２２を有している。清掃具１Ａでは、第１スリット部２１は、第２方向Ｙの中央域Ｃ側に向かって凸の平面視形状を有しており、第２スリット部２２は、第２方向Ｙの端部域Ｓ側に向かって凸の平面視形状を有している。第１スリット部２１及び第２スリット部２２は、清掃具１Ａに切り込みを入れたスリットとして形成されている。清掃具１Ａでは、第１スリット部２１及び第２スリット部２２は、滑らかな円弧形状を有している。
第２方向Ｙの端部域Ｓそれぞれに位置する第１スリット部２１，２１どうしは、中心線ＣＬを挟んで互いに対向して配されており、第２方向Ｙの端部域Ｓそれぞれに位置する第２スリット部２２，２２どうしは、中心線ＣＬを挟んで互いに対向して配されている。
【００２９】
第１指挿入部２の第１方向Ｘの長さＨに対する第１スリット部２１の第１方向Ｘの長さｈ１の比率は、第１指挿入部２に指を入れやすくする観点から、好ましくは１０％以上、より好ましくは３０％以上であり、第１指挿入部２から指を抜けにくくする観点から、好ましくは８０％以下、より好ましくは６０％以下であり、第１指挿入部２に指を入れやすくし且つ第１指挿入部２から指を抜け難くする観点から、好ましくは１０％以上８０％以下、より好ましくは３０％以上６０％以下である。第１スリット部２１の第１方向Ｘの長さｈ１とは、第１スリット部２１の第２スリット部２２が連設していない側の端から、仮想戦Ｌと第１指挿入部２との交点までの第１方向Ｘの長さｈ１を意味する（図２（ａ）参照）。
第１スリット部２１の第１方向Ｘの長さｈ１は、第１指挿入部２に指を挿入し易くする観点から、好ましくは１０ｍｍ以上、より好ましくは１５ｍｍ以上であり、第１指挿入部２から指が抜けにくくする観点から、好ましくは３５ｍｍ以下、より好ましくは３０ｍｍ以下であり、指の挿入のし易さ及び抜けにくさの両立の観点から、好ましくは１０ｍｍ以上３５ｍｍ以下、より好ましくは１５ｍｍ以上２５ｍｍ以下である。
【００３０】
第１スリット部２１の第１方向Ｘの長さｈ１に対する第１スリット部２１の湾曲の深さｗ１の比率は、第１指挿入部２に指を入れやすくする観点から、好ましくは０％以上、より好ましくは１５％以上であり、第１指挿入部２から指を抜けにくくする観点から、好ましくは８０％以下、より好ましくは３５％以下であり、第１指挿入部２に指を入れやすくし且つ第１指挿入部２から指を抜け難くする観点から、好ましくは０％以上８０％以下、より好ましくは１５％以上３５％以下である。第１スリット部２１の湾曲の深さｗ１とは、第１スリット部２１の第２スリット部２２が連設していない側の端と第１スリット部２１の凸の頂点Ｐ１との第２方向Ｙの長さｗ１を意味する。ここで、第１スリット部２１の凸の頂点Ｐ１とは、第１スリット部２１の凸部のうち最も第２方向Ｙの中央域Ｃ側に位置する部位を意味する。
第１スリット部２１の湾曲の深さｗ１は、第１指挿入部２に指を入れやすくする観点から、好ましくは０ｍｍ以上、より好ましくは２ｍｍ以上であり、第１指挿入部２から指を抜けにくくする観点から、好ましくは２０ｍｍ以下、より好ましくは１０ｍｍ以下であり、第１指挿入部２に指を入れやすくし且つ第１指挿入部２から指を抜け難くする観点から、好ましくは０ｍｍ以上２０ｍｍ以下、より好ましくは２ｍｍ以上１０ｍｍ以下である。
【００３１】
第１指挿入部２の第１方向Ｘの長さＨに対する第２スリット部２２の第１方向Ｘの長さｈ２の比率は、第１指挿入部２に指を入れやすくする観点から、好ましくは１０％以上、より好ましくは３０％以上であり、第１指挿入部２から指を抜けにくくする観点から、好ましくは８０％以下、より好ましくは６０％以下であり、第１指挿入部２に指を入れやすくし且つ第１指挿入部２から指を抜け難くする観点から、好ましくは１０％以上８０％以下、より好ましくは３０％以上６０％以下である。第２スリット部２２の第１方向Ｘの長さｈ２とは、第２スリット部２２の第１スリット部２１が連設していない側の端から、仮想戦Ｌと第１指挿入部２との交点までの第１方向Ｘの長さｈ２を意味する（図２（ａ）参照）。
第２スリット部２２の第１方向Ｘの長さｈ２は、第１指挿入部２に指を挿入し易くする観点から、好ましくは１０ｍｍ以上、より好ましくは１５ｍｍ以上であり、第１指挿入部２から指が抜けにくくする観点から、好ましくは３５ｍｍ以下、より好ましくは３０ｍｍ以下であり、指の挿入のし易さ及び抜けにくさの両立の観点から、好ましくは１０ｍｍ以上３５ｍｍ以下、より好ましくは１５ｍｍ以上２５ｍｍ以下である。尚、第１指挿入部２に指を入れやすくし且つ第１指挿入部２から指を抜け難くする観点から、第１スリット部２１の第１方向Ｘの長さｈ１と第２スリット部２２の第１方向Ｘの長さｈ２とは同じ長さであることが好ましい。第１スリット部２１の第１方向Ｘの長さｈ１と第２スリット部２２の第１方向Ｘの長さｈ２とを足した長さが、第１指挿入部２の第１方向Ｘの長さＨである。
【００３２】
第２スリット部２２の第１方向Ｘの長さｈ２に対する第２スリット部２２の湾曲の深さｗ２の比率は、第１指挿入部２に指を入れやすくする観点から、好ましくは０％以上、より好ましくは１５％以上であり、第１指挿入部２から指を抜けにくくする観点から、好ましくは８０％以下、より好ましくは３５％以下であり、第１指挿入部２に指を入れやすくし且つ第１指挿入部２から指を抜け難くする観点から、好ましくは０％以上８０％以下、より好ましくは１５％以上３５％以下である。第２スリット部２２の湾曲の深さｗ２とは、第２スリット部２２の第１スリット部２１が連設していない側の端と第２スリット部２２の凸の頂点Ｐ２との第２方向Ｙの長さｗ２を意味する。
第２スリット部２２の湾曲の深さｗ２は、第１指挿入部２に指を入れやすくする観点から、好ましくは０ｍｍ以上、より好ましくは２ｍｍ以上であり、第１指挿入部２から指を抜けにくくする観点から、好ましくは２０ｍｍ以下、より好ましくは１０ｍｍ以下であり、第１指挿入部２に指を入れやすくし且つ第１指挿入部２から指を抜け難くする観点から、好ましくは０ｍｍ以上２０ｍｍ以下、より好ましくは２ｍｍ以上１０ｍｍ以下である。
【００３３】
第１スリット部２１，２１の凸の頂点Ｐ１同士の距離Ｄ１は、図１に示すように、第２スリット部２２，２２の凸の頂点Ｐ２同士の距離Ｄ２よりも短くなっている。これにより、手の幅の小さい人は第１スリット部２１，２１に親指及び小指を容易に挿入することができ、手の幅の大きい人は第２スリット部２２，２２に親指及び小指を容易に挿入することができるようになっている。
【００３４】
成人の手の一般的な大きさを考慮すると、前記距離Ｄ２は、好ましくは８０ｍｍ以上、より好ましくは９０ｍｍ以上であり、また好ましくは１２０ｍｍ以下、より好ましくは１１０ｍｍ以下であり、また、好ましくは８０ｍｍ以上１２０ｍｍ以下、より好ましくは９０ｍｍ以上１１０ｍｍ以下である。前記距離Ｄ２と前記距離Ｄ１との差は、手の大きさによらずに指の挿入を容易とする点から、好ましくは２ｍｍ以上、より好ましくは５ｍｍ以上であり、挿入した指が抜けにくくする点から、また好ましくは３０ｍｍ以下、より好ましくは２５ｍｍ以下であり、指の挿入し易さ及び抜けにくさの両立の観点から、好ましくは２ｍｍ以上３０ｍｍ以下、より好ましくは５ｍｍ以上２５ｍｍ以下である。
【００３５】
また清掃具１Ａでは、図１に示すように、第１スリット部２１及び第２スリット部２２は、第１方向Ｘに連設されている。第１指挿入部２は、第１スリット部２１と第２スリット部２２との連設部に変曲点２３を有している。変曲点２３とは、第１スリット部２１の凸の頂点Ｐ１と第２スリット部２２の凸の頂点Ｐ２との間に位置する第１指挿入部２上の点であって、該点において第１指挿入部の凸の部分の向きが内方から外方に、又は外方から内方に変わる点を意味する。第１指挿入部２は変曲点２３を有しているので、指を第１指挿入部２に挿入した後、変曲点２３が指に引っかかり、第１指挿入部２から指が抜け難くなっている。第１スリット部２１と第２スリット部２２との連設部は滑らかな曲線であっても良いし、直線を含んでいても良い。第１指挿入部２から指を抜け難くする観点から、第１スリット部２１と第２スリット部２２との連設部は滑らかな曲線であることが好ましい。
【００３６】
また清掃具１Ａは、図１に示すように、第１指挿入部２が設けられた領域よりも第１方向Ｘの一端側に第２指挿入部３が設けられている。清掃具１Ａでは、上述のように、第１指挿入部２は掌領域Ｐに設けられているので、第１指挿入部２が設けられた領域よりも第１方向Ｘの一端側とは、第１方向Ｘにおける掌領域Ｐよりも指先領域Ｆ側を意味する。
【００３７】
さらに清掃具１Ａでは、図１に示すように、第２指挿入部３は、指先側領域Ｆにおける第２方向Ｙの端部域Ｓに設けられている。清掃具１Ａでは、第２指挿入部３は図１及び２に示すように、人差し指又は薬指を挿入するための挿入部であり、第２方向の両端部域Ｓ，Ｓそれぞれに設けられていても良い。
清掃具１Ａでは、第２指挿入部３は清掃具１Ａに切り込みを入れたスリットとして形成されており、清掃具１Ａの周縁に沿った円弧形状を有している。第２指挿入部３は全体として円弧形状を有していればよく、第２指挿入部３は曲線のみで形成されていてもよいし、曲線と直線とで形成されていてもよい。清掃具１Ａでは、第２指挿入部３は曲線と直線とを組み合わせて形成されている。
【００３８】
第２指挿入部３の第２方向Ｙの両端を結ぶ線分の長さｗ４に対する第２指挿入部３湾曲の深さｗ５の比率は、第２指挿入部３に指を入れやすくする観点から、好ましくは０％以上、より好ましくは１０％以上であり、第２指挿入部３から指を抜けにくくする観点から、好ましくは４０％以下、より好ましくは３０％以下であり、第２指挿入部３に指を入れやすくし且つ第２指挿入部３から指を抜け難くする観点から、好ましくは０％以上４０％以下、より好ましくは１０％以上３０％以下である。第２指挿入部３湾曲の深さｗ４とは、第２指挿入部３の第２方向Ｙの両端を通る直線Ｍと、該直線Ｍと平行であり且つ第２指挿入部３の凸の頂点Ｐ３に接する直線Ｎとの最短距離ｗ５を意味する（図２（ｂ）参照）。
【００３９】
清掃具１Ａを手に装着して清掃を行う際に、第２指挿入部３，３に人差し指及び薬指を挿入することで、清掃具１Ａの手への装着状態が一層安定するとともに、拭きにくいカーペットのような摩擦抵抗の高い布製品を清掃対象とした場合であっても、清掃具１Ａと布製品との摩擦抵抗によって清掃具１Ａが手から外れてしまうことを防ぐことが可能となる。
【００４０】
尚、第２指挿入部３は、図１に示すように、指先側領域Ｆだけでなく手首側領域Ｗにも設けられていても良い。清掃具１Ａは、第２指挿入部３が手首側領域Ｗにも設けられていることにより、清掃具１Ａを第１方向Ｘにひっくり返した場合にも、第２指挿入部３に指を挿入することができるようになされている。また、清掃具１Ａは、第２指挿入部３が手首側領域Ｗにも設けられていることにより、清掃具１Ａを回転させて手首側領域Ｗが装着者の指先側にくるように場合にも、第２指挿入部３に指を挿入することができる。
【００４１】
また、清掃具１Ａの全面を無駄なく使って清拭する観点から、清掃具１Ａを手に装着したときに、清掃具１Ａの手首側領域Ｗの下端が着用者の手首まで及んでいることが好ましい。手首側領域Ｗの下端を、着用者の母指球や小指球も使って清拭に用いる観点から、清掃具１Ａの第１方向Ｘの長さＬ１は第１指挿入部２，２同士間の距離Ｄ３の、好ましくは１００％以上、より好ましくは１１０％以上である。清掃具１Ａの全面を無駄なく使って清拭する観点から、清掃具１Ａの第１方向Ｘの長さＬ１は第１指挿入部２，２同士間の距離Ｄ３の、好ましくは２５０％以下、より好ましくは２３０％以下である。上述の効果が共に奏されるようにする観点から、清掃具１Ａの第１方向Ｘの長さＬ１は第１指挿入部２，２同士間の距離Ｄ３の、好ましくは１００％以上２５０％以下、より好ましくは１１０％以上２３０％以下である。第１指挿入部２，２同士間の距離Ｄ３とは、第１指挿入部２，２それぞれにおける第１方向Ｘの中央部同士間、即ち、第１指挿入部２の第１方向Ｘの両端からの距離が等しい第１指挿入部２上の部分同士間の距離Ｄ３を意味する〔図１（ｂ）参照〕。
【００４２】
また清掃具１Ａは、図１に示すように、第２方向Ｙの中央域Ｃにおける指先領域Ｆに第３指挿入部４が設けられている。本実施形態では、第３指挿入部４は指先領域Ｆに設けられている。第３指挿入部４は、清掃具１Ａを手に装着するときに、例えば中指を挿入するための挿入部である。第３指挿入部４は清掃具１Ａに切り込みを入れたスリットとして形成されており、指先領域Ｆ側の第２辺２ｙに向かって凸に湾曲した湾曲形状を有している。第３指挿入部４は曲線のみで形成されていてもよいし、曲線と直線とで形成されていてもよい。第３指挿入部４は、図１に示すように、第２方向Ｙの中央域Ｃにおける指先領域Ｆのみならず、第２方向Ｙの中央域Ｃにおける手首側領域Ｗにも設けられていてもよい。第３指挿入部４が手首側領域Ｗに設けられている場合は、第３指挿入部４は手首領域Ｗ側の第２辺２ｙに向かって凸に湾曲した湾曲形状を有している。
【００４３】
第３指挿入部４の曲率半径は、第３指挿入部４に指を入れやすくする観点から、好ましくは５０ｍｍ以上、より好ましくは８０ｍｍ以上であり、第３指挿入部４から指を抜けにくくする観点から、好ましくは２５０ｍｍ以下、より好ましくは１５０ｍｍ以下であり、第３指挿入部４に指を入れやすくし且つ第３指挿入部４から指を抜け難くする観点から、好ましくは５０ｍｍ以上２５０ｍｍ以下、より好ましくは８０ｍｍ以上１５０ｍｍ以下である。同観点から、第３指挿入部４の第２方向Ｙに沿う長さは、好ましくは１０ｍｍ以上であり、より好ましくは２５ｍｍ以上であり、また好ましくは６０ｍｍ以下であり、より好ましく４０ｍｍ以下であり、また好ましくは１０ｍｍ以上６０ｍｍ以下であり、より好ましくは２５ｍｍ以上４０ｍｍ以下である。
【００４４】
上述のように、第１実施形態の清掃具１Ａによれば、第２方向Ｙの端部域Ｓ，Ｓそれぞれにスリット状の第１指挿入部２，２が形成されているので、それらに親指と小指とを挿入して清掃を行ったときに、手と清掃具がずれ難い。また、第１指挿入部２，２それぞれは、第２方向Ｙの内方に向かって凸の平面視形状の第１スリット部２１及び第２方向Ｙの外方に向かって凸の平面視形状の第２スリット部２２を有すると共に、全体として第１方向Ｘに沿って延びているので、手の大きい人であっても手の小さい人であっても指を挿入し易く、また挿入した指が清掃中に抜け難くなっている。
また、第１指挿入部２は、第１スリット部２１及び第２スリット部２２が連設されて全体として１つのスリットとなっているので、装着者の指の太さに関わらず、第１指挿入部２に指を容易に挿入することができるようになっている。清掃具１Ａでは、第１指挿入部２と同様に、第２指挿入部３もスリットであるため、第２指挿入部３も、装着者の指の太さに関わらず、指を容易に挿入することができるようになっている。
清掃具１Ａは、容易に手に装着することができると共に、清掃の際に手と清掃具がずれ難いので、清掃の際に清掃具との摩擦が高くなってしまう絨毯、ソファー、車のシートやカーペット等の布製品を清掃対象とした場合であっても、快適且つ簡便に清掃することができる。
また、清掃具１Ａは、第１指挿入部２，２に親指と小指とを挿入して清掃することにより、清掃具１Ａの少なくとも片面の表面に螺旋状の捲縮繊維が配されており、清掃具１Ａの表面と清掃対象面との摩擦抵抗が高く清掃し難い場合であっても、手と清掃具がずれ難く、清掃具１Ａの操作を安定して行うことができるようになっている。また、第１指挿入部２、第２指挿入部３、第３指挿入部４の全ての指挿入部に指を挿入して清掃することにより、手と清掃具が更にずれ難く、清掃具１Ａの操作をより安定して行うことができるようになっているが、全ての指挿入部に指を挿入して清掃した場合のみならず、１指挿入部２、第２指挿入部３、第３指挿入部４のうちの何れかの指挿入部に指を挿入して清掃した場合であっても、手と清掃具がずれ難く、清掃具１Ａの操作を安定して行うことができるようになっている。
【００４５】
尚、本発明の清掃具の清掃対象は上述の布製品に限定されず、タイルやフローリング、網戸等の硬質表面を清掃対象とすることができる。また、本発明の清掃具は、液体を含浸させることなく乾式清掃シートとして用いても良いし、水や、洗浄液等の液体を含浸させて湿式清掃シートとして用いても良い。洗浄液は、水及び界面活性剤を含むことが好ましい。
【００４６】
次に、本発明の第２〜第６実施形態に係る清掃具１Ｂ〜１Ｆを図４〜７に示す。第２〜第６実施形態の清掃具１Ｂ〜１Ｆについては、矛盾しない限り、上述した第１実施形態の清掃具１Ａの説明が適宜適用される。図４〜７中には、第１実施形態の清掃具１Ａと同様の構成について、第１実施形態の清掃具１Ａに付した符号と同一の符号を付してある。
【００４７】
第２実施形態の清掃具１Ｂでは、図４に示すように、第３指挿入部４Ｂが、指先側領域Ｆにおける第２方向Ｙの中央域Ｃに設けられている。清掃具１Ｂでは、第３指挿入部４Ｂは、第２方向Ｙに沿って切り込みを入れたスリットが、第１方向Ｘに２つ並んで形成されている。清掃具１Ｂの第３指挿入部４Ｂは、清掃具１Ｂを手に装着するときに、中指を挿入するための挿入部であり、第１方向Ｘに並んだスリットの間の部分を持ち上げて開口を形成することで、該開口に中指を挿入することができるようになっている。
【００４８】
清掃具１Ｂの第３指挿入部４Ｂを形成する２つのスリットのうち、掌領域Ｐよりも指先領域Ｆ側に位置するスリットを外方スリット４１とし、掌領域Ｐ側に位置するスリットを内方スリット４２とする。
第２実施形態の清掃具１Ｂでは、図４に示すように、外方スリット４１は、第２方向Ｙに沿って切り込みを入れたスリットであり、掌領域Ｐ側に向かって凸の平面視形状を有している。外方スリット４１が掌領域Ｐ側に向かって凸の平面視形状を有していることにより、外方スリット４１が直線又は指先領域Ｆ側に向かって凸の平面視形状を有している場合に比べて、清掃具１Ｂにおける外方スリット４１よりも指先領域Ｆ側の領域を広くすることができる。これにより、第３指挿入部４Ｂに中指を挿入した際に、清掃具１Ｂの上に中指の先端を置くことができる。
内方スリット４２は、第２方向Ｙに沿って切り込みを入れたスリットであり、指先側領域Ｆ側に向かって凸の平面視形状を有している。
【００４９】
尚、第３指挿入部４Ｂは、図４に示すように、指先側領域Ｆだけでなく手首側領域Ｗにも設けられていても良い。清掃具１Ｂは、第３指挿入部４Ｂが手首側領域Ｗにも設けられていることにより、清掃具１Ｂを第１方向Ｘにひっくり返した場合にも、第３指挿入部４Ｂに指を挿入することができるようになっている。手首側領域Ｗに位置する第３指挿入部４Ｂにおいては、掌領域Ｐよりも手首側領域Ｗ側に位置するスリットが外方スリット４１となり、内方スリット４２は手首側領域Ｗ側に向かって凸の平面視形状を有している。
【００５０】
第３実施形態の清掃具１Ｃでは、図５（ａ）及び図５（ｂ）に示すように、上述の第２実施形態の清掃具１Ｂと同様に、外方スリット４１Ｃと内方スリット４２とからなる第３指挿入部４Ｃが、指先側領域Ｆにおける第２方向Ｙの中央域Ｃに設けられている。清掃具１Ｃでは、外方スリット４１Ｃは、内方スリット４２と同様に、指先側領域Ｆ側に向かって凸の平面視形状を有している。
【００５１】
清掃具１Ｃでは、図５（ａ）に示すように、第３指挿入部４Ｃは、第１方向Ｘにおいて第１指挿入部２に近い位置に形成されており、第１指挿入部２及び第３指挿入部４Ｃに指を挿入し清掃具１Ｃを手に装着したときに、指の付け根のラインより内側の部分が、指の付け根のラインに沿って清掃対称面側に突出するような立体形状に変形しやすくなっている。これにより、清掃具１Ｃが手から外れ難くなると共に、清掃具１Ｃが手にフィットするため、装着者の思い通りに清掃具１Ｃを動かすことができ、清掃性や操作の安定性を向上させることができる。
指の付け根付近を用いた効率的な清掃を可能とする観点から、図５（ａ）に示すように、第１指挿入部２における第１方向Ｘの中央部同士を結ぶ第１仮想線Ｌ３を引いたときに、第１仮想線Ｌ３と第３指挿入部４Ｃとの間の距離Ｄ４は、好ましくは２０ｍｍ以上、より好ましくは２５ｍｍ以上であり、また好ましくは６０ｍｍ以下、より好ましくは５０ｍｍ以下であり、また好ましくは２０ｍｍ以上６０ｍｍ以下、より好ましくは２５ｍｍ以上５０ｍｍ以下である。
第１仮想線Ｌ３と第３指挿入部４Ｃとの距離Ｄ４とは、第３指挿入部４Ｃの第１方向Ｘにおける最も掌領域Ｐ側に位置する部分から第１仮想線Ｌ３に垂線を引いたときの該垂線の長さＤ４を意味する。
【００５２】
同様に、指の付け根付近を用いた効率的な清掃を可能とする観点から、図５（ｂ）に示すように、第３指挿入部４Ｃは、第１方向Ｘにおいて清掃具１Ｃの中央に近い位置に形成されていることが好ましい。
具体的には、清掃具１Ｃにおける第１方向Ｘの中央を通り第２方向Ｙに沿う第２仮想線Ｌ４を引いたときに、第２仮想線Ｌ４と第３指挿入部４Ｃとの距離Ｄ５は、好ましくは２０ｍｍ以上、より好ましくは２５ｍｍ以上であり、また好ましくは６０ｍｍ以下、より好ましくは５０ｍｍ以下であり、また好ましくは２０ｍｍ以上６０ｍｍ以下、より好ましくは２５ｍｍ以上５０ｍｍ以下である。
清掃具１Ｃにおける第１方向Ｘの中央を通り第２方向Ｙに沿う第２仮想線Ｌ４とは、清掃具１Ｃの第１方向Ｘの一方の端から他方の端までの長さＬ１を２等分する直線であって第２方向Ｙに沿うものを意味する。第２仮想線Ｌ２と第３指挿入部４Ｃとの距離Ｄ５とは、第３指挿入部４Ｃの第１方向Ｘにおける最も掌領域Ｐ側に位置する部分から第２仮想線Ｌ４に垂線を引いたときの該垂線の長さＤ５を意味する。
【００５３】
図６に示す第４実施形態の清掃具１Ｄでは、第１指挿入部２Ｄは、第１スリット部２１を挟んで第２スリット部２２とは反対側に、第２方向Ｙの外方に向かって凸の平面視形状を有する第３スリット部２４Ｄを備えている。清掃具１Ｄでは、第３スリット部２４Ｄは、第２方向Ｙの端部域Ｓ側に凸の平面視形状を有している。第３スリット部２４Ｄは、清掃具１Ｄに切り込みを入れたスリットとして形成されている。清掃具１Ｄでは、図６に示すように、第２スリット部２２、第１スリット部２１及び第３スリット部２４Ｄは、この順で第１方向Ｘに連設されており、第１指挿入部２Ｄは全体としてＷ字形状の１つのスリットとなっている。第１指挿入部２Ｄが第１、第２及び第３スリット部２１,２２,２４Ｄを有している場合、第１指挿入部２Ｄの第１方向Ｘの長さＨの好ましい値は、上述した第１指挿入部２，２の第１方向Ｘの長さＨの好ましい値と同じである。
【００５４】
清掃具１Ｄでは、第３スリット部２４Ｄは、滑らかな円弧形状を有しており、第１指挿入部２Ｄは、第１スリット部２１と第３スリット部２４Ｄとの連設部に変曲点２５を有している。清掃具１Ｄでは、第１指挿入部２Ｄは変曲点２３に加えて変曲点２５を有しているので、指を第１指挿入部２Ｄに挿入した後、変曲点２３及び変曲点２５が指に引っかかり、第１指挿入部２Ｄから指が更に抜け難くなっている。第１スリット部２１と第３スリット部２４Ｄとの連設部は滑らかな曲線であっても良いし、直線を含んでいても良い。第１指挿入部２Ｄから指を抜け難くする観点から、第１スリット部２１と第３スリット部２４Ｄとの連設部は滑らかな曲線であることが好ましい。
【００５５】
第１指挿入部２Ｄは、第１スリット部２１の凸の頂点Ｐ１及び第２スリット部２２の凸の頂点Ｐ２からの距離が等しい第１指挿入部２Ｄ上の点である第１中点Ｍ１を有している。第１指挿入部２Ｄが曲線を含んでいる場合、第１スリット部２１の凸の頂点Ｐ１及び第２スリット部２２の凸の頂点Ｐ２からの距離とは、第１指挿入部２Ｄの曲線に沿って測定した距離を意味する。
また第１指挿入部２Ｄは、第１スリット部２１の凸の頂点Ｐ１及び第３スリット部２４Ｄの凸の頂点Ｐｄからの距離が等しい第１指挿入部２Ｄ上の点である第２中点Ｍ２を有している。第１指挿入部２Ｄが曲線を含んでいる場合、第１スリット部２１の凸の頂点Ｐ１及び第３スリット部２４Ｄの凸の頂点Ｐｄからの距離とは、第１指挿入部２Ｄの曲線に沿って測定した距離を意味する。
【００５６】
第１指挿入部２Ｄが第１、第２及び第３スリット部２１,２２,２４Ｄを有している場合、第１指挿入部２Ｄの第１方向Ｘの長さＨに対する第１スリット部２１の第１方向Ｘの長さｈｄ１の比率は、第１指挿入部２Ｄに指を入れやすくする観点から、好ましくは１０％以上、より好ましくは２０％以上であり、第１指挿入部２Ｄから指を抜けにくくする観点から、好ましくは５０％以下、より好ましくは４０％以下であり、第１指挿入部２Ｄに指を入れやすくし且つ第１指挿入部２Ｄから指を抜け難くする観点から、好ましくは１０％以上５０％以下、より好ましくは２０％以上４０％以下である。第１指挿入部２Ｄにおける第１スリット部２１の第１方向Ｘの長さｈｄ１とは、第１中点Ｍ１から第２中点Ｍ２までの第１方向Ｘの長さｈｄ１を意味する（図６（ｂ）参照）。
【００５７】
第１指挿入部２Ｄが第１、第２及び第３スリット部２１,２２,２４Ｄを有している場合、第１指挿入部２Ｄの第１方向Ｘの長さＨに対する第２スリット部２２の第１方向Ｘの長さｈｄ２の比率は、第１指挿入部２Ｄに指を入れやすくする観点から、好ましくは１０％以上、より好ましくは２０％以上であり、第１指挿入部２Ｄから指を抜けにくくする観点から、好ましくは５０％以下、より好ましくは４０％以下であり、第１指挿入部２Ｄに指を入れやすくし且つ第１指挿入部２Ｄから指を抜け難くする観点から、好ましくは１０％以上５０％以下、より好ましくは２０％以上４０％以下である。第１指挿入部２Ｄにおける第２スリット部２２の第１方向Ｘの長さｈｄ２とは、第２スリット部２２の第１スリット部２１が連設していない側の端から、第１中点Ｍ１までの第１方向Ｘの長さｈｄ２を意味する（図６（ｂ）参照）。
【００５８】
第１指挿入部２Ｄの第１方向Ｘの長さＨに対する第３スリット部２４Ｄの第１方向Ｘの長さｈｄ３の比率は、第１指挿入部２Ｄに指を入れやすくする観点から、好ましくは１０％以上、より好ましくは２０％以上であり、第１指挿入部２Ｄから指を抜けにくくする観点から、好ましくは５０％以下、より好ましくは４０％以下であり、第１指挿入部２Ｄに指を入れやすくし且つ第１指挿入部２から指を抜け難くする観点から、好ましくは１０％以上５０％以下、より好ましくは２０％以上４０％以下である。第３スリット部２４Ｄの第１方向Ｘの長さとは、第３スリット部２４Ｄの第１スリット部２１が連設していない側の端から、第２中点Ｍ２までの第１方向Ｘの長さｈｄ３を意味する（図６（ｂ）参照）。尚、第１スリット部２１の第１方向Ｘの長さｈｄ１と、第２スリット部２２の第１方向Ｘの長さｈｄ２と、第３スリット部２４Ｄの第１方向Ｘの長さｈｄ３とは同じであることが好ましい。
【００５９】
第３スリット部２４Ｄの第１方向Ｘの長さｈｄ３に対する第３スリット部２４Ｄの湾曲の深さｗ３の比率は、第１指挿入部２Ｄに指を入れやすくする観点から、好ましくは０％以上、より好ましくは１５％以上であり、第１指挿入部２Ｄから指を抜けにくくする観点から、好ましくは８０％以下、より好ましくは３５％以下であり、第１指挿入部２Ｄに指を入れやすくし且つ第１指挿入部２Ｄから指を抜け難くする観点から、好ましくは０％以上８０％以下、より好ましくは１５％以上３５％以下である。第３スリット部２４Ｄの湾曲の深さｗ３とは、第３スリット部２４Ｄの第１スリット部２１が連設していない側の端と第３スリット部２４Ｄの凸の頂点Ｐｄとの第２方向Ｙの長さｗ３を意味する。第３スリット部２４Ｄの凸の頂点Ｐｄとは、第３スリット部２４Ｄの凸部のうち最も第２方向Ｙの端部域Ｓ側に位置する部位を意味する。
【００６０】
第５実施形態の清掃具１Ｅは、図７に示すように、第２方向Ｙの一方の端部域Ｓと他方の端部域Ｓとで、第１スリット部２１Ｅ及び第２スリット部２２Ｅの位置が第１方向Ｘにずれている。つまり、第２方向Ｙの一方の端部域Ｓと他方の端部域Ｓとで、第１指挿入部２Ｅの位置が第１方向Ｘにずれている。人体において、中指の先端から手首へ向かう方向と、親指の付け根から小指の付け根へ向かう方向とは直交していない。従って、第２方向Ｙの一方の端部域Ｓと他方の端部域Ｓとで、第１指挿入部２Ｅの位置が第１方向Ｘにずれていることにより、清掃具１Ｅを手に装着したときに、装着者の親指又は小指に対応した位置に第１指挿入部２Ｅが配されることになる。これにより、清掃具１Ｅでは、第１指挿入部２Ｅに指を容易に挿入することができると共に、手に不要な力を入れることなく自然な状態で清掃を行うことができるようになっている。
尚、清掃具１Ｅでは、２方向Ｙの一方の端部域Ｓ及び他方の端部域Ｓに配されている第１指挿入部２Ｅ，２Ｅは何れも掌領域Ｐに位置している。
【００６１】
ここで、第２方向Ｙの一方の端部域Ｓと他方の端部域Ｓとで、第１スリット部２１Ｅの位置が第１方向Ｘにずれているとは、第１スリット部２１Ｅの凸の頂点Ｐ１を通り第２方向Ｙに沿う第３仮想直線Ｌ５同士の第１方向Ｘの距離Ｄ６が３ｍｍ以上であることを意味する。第３仮想直線Ｌ５同士の第１方向Ｘの距離Ｄ６は、ヒトの手の平均的な寸法、装着及び操作のし易さの観点から、好ましくは５ｍｍ以上、より好ましくは１０ｍｍ以上であり、また好ましくは３５ｍｍ以下、より好ましくは３０ｍｍ以下であり、上述の効果をより一層奏する観点から、好ましくは５ｍｍ以上３５ｍｍ以下、より好ましくは１０ｍｍ以上３０ｍｍ以下である。
【００６２】
また、第２方向Ｙの一方の端部域Ｓと他方の端部域Ｓとで、第２スリット部２２Ｅの位置が第１方向Ｘにずれているとは、第２スリット部２２Ｅの凸の頂点Ｐ２を通り第２方向Ｙに沿う第４仮想直線Ｌ６同士の第１方向Ｘの距離Ｄ７が３ｍｍ以上であることを意味する。第４仮想直線Ｌ６同士の第１方向Ｘの距離Ｄ７は、ヒトの手の平均的な寸法、装着及び操作のし易さの観点から、好ましくは５ｍｍ以上、より好ましくは１０ｍｍ以上であり、また好ましくは３５ｍｍ以下、より好ましくは３０ｍｍ以下であり、上述の効果をより一層奏する観点から、好ましくは５ｍｍ以上３５ｍｍ以下、より好ましくは１０ｍｍ以上３０ｍｍ以下である。
【００６３】
第６実施形態の清掃具１Ｆは、図８に示すように、第１指挿入部２Ｆは第３スリット部２４Ｆを有しており、第２方向Ｙの一方の端部域Ｓと他方の端部域Ｓとで、第３スリット部２４Ｆの位置が第１方向Ｘにずれている。
尚、清掃具１Ｆでは、２方向Ｙの一方の端部域Ｓ及び他方の端部域Ｓに配されている第１指挿入部２Ｆ，２Ｆは何れも掌領域Ｐに位置している。
【００６４】
ここで、第２方向Ｙの一方の端部域Ｓと他方の端部域Ｓとで、第３スリット部２４Ｆの位置が第１方向Ｘにずれているとは、第３スリット部２４Ｆの凸の頂点Ｐｄを通り第２方向Ｙに沿う第５仮想直線Ｌ７同士の第１方向Ｘの距離Ｄ８が３ｍｍ以上であることを意味する。第３スリット部２４Ｆの凸の頂点Ｐｄとは、第２スリット部２２の凸の頂点Ｐ２と同様に、第３スリット部２４Ｆの凸部のうち最も第２方向Ｙの端部域Ｓ側に位置する部位を意味する。第５仮想直線Ｌ７同士の第１方向Ｘの距離Ｄ８は、ヒトの手の平均的な寸法、装着及び操作のし易さの観点から、好ましくは５ｍｍ以上、より好ましくは１０ｍｍ以上であり、また好ましくは３５ｍｍ以下、より好ましくは３０ｍｍ以下であり、上述の効果をより一層奏する観点から、好ましくは５ｍｍ以上３５ｍｍ以下、より好ましくは１０ｍｍ以上３０ｍｍ以下である。
【００６５】
以上、本発明の好ましい実施形態を示して説明したが、各発明は、上記の実施形態に制限されず適宜に変更可能である。
例えば、第１指挿入部２を設ける一方、第２指挿入部３及び第３指挿入４，４Ｂ，４Ｃを設けないこともできる。
また、第１指挿入部２、第２指挿入部３、第３指挿入部４，４Ｂ，４Ｃの周囲にエンボス加工を施して、第１指挿入部２、第２指挿入部３、第３指挿入部４，４Ｂ，４Ｃが設けられている部分を、視認又は触って認識できるようにしても良い。また、第１指挿入部２、第２指挿入部３、第３指挿入部４，４Ｂ，４Ｃのスリットの周縁は滑らかな直線若しくは曲線であっても良いし、ギザギザ形状を有していても良い。第１〜第３指挿入部２，３，４Ｂ，４Ｃのスリットの周縁をギザギザ形状にすることで、第１〜第３指挿入部２，３，４Ｂ，４Ｃから指が抜け難くすることができる。
また、第１指挿入部２、第２指挿入部３、第３指挿入部４，４Ｂ，４Ｃは、それぞれ、それぞれに沿って延びる一対の側縁間に指を挿入可能な指挿入部であるが、指を挿入する前の平面視において、その一対の側縁間に多少の隙間があってもよい。
【００６６】
本発明の清掃具は、上述の第１〜第６実施形態の清掃具１Ａ〜１Ｆに何ら制限されるものではなく、適宜変更可能である。また、上述の第１〜第６実施形態清掃具１Ａ〜１Ｆにおける各構成要件は、本発明の趣旨を損なわない範囲で、例えば図９に示すように、適宜組み合わせて実施できる。例えば、図９（ａ）に示すように、清掃具１Ｃの第２指挿入部４Ｃ（図５参照）を有する清掃具において、第２方向Ｙの一方の端部域Ｓと他方の端部域Ｓとで、第１指挿入部２の位置を第１方向Ｘにずれていてもよい。また、図９（ｂ）に示すように、清掃具１Ｂの第３指挿入部４Ｂ（図４参照）を有する清掃具において、第２方向Ｙの一方の端部域Ｓと他方の端部域Ｓとで、第１指挿入部２の位置を第１方向Ｘにずれていてもよい。
また、本発明の清掃具の平面視形状は、長方形や正方形等の四角形、楕円形等に限られず、本発明の効果が奏される限り任意の形状とすることができ、例えば、台形、ひし形、楕円形、円形、長手方向の両端を円弧状にした四角形（図１０参照）、四隅を丸めた四角形等とすることもできる。
【符号の説明】
【００６７】
１Ａ，１Ｂ，１Ｃ，１Ｄ，１Ｅ，１Ｆ  清掃具
２  第１指挿入部
２１，２１Ｅ  第１スリット部
２２，２２Ｅ  第２スリット部
２３  第１指挿入部の第１スリット部と第２スリット部との変曲点
２４Ｄ，２４Ｆ  第３スリット部
２５  第１指挿入部の第１スリット部と第３スリット部との変曲点
３  第２指挿入部
４，４Ｂ，４Ｃ  第３指挿入部
４１，４１Ｃ  外方スリット
４２  内方スリット
Ｌ１  清掃具の第１方向の全長の長さ
Ｌ２  清掃具の第２方向の全長の長さ
Ｌ３  第１指挿入部における第１方向の中央部同士を結ぶ第１仮想線
Ｌ４  清掃具における第１方向の中央を通り第２方向に沿う第２仮想線
Ｌ５  第１スリット部の凸の頂部を通り第２方向に沿う第３仮想直線
Ｌ６  第２スリット部の凸の頂部を通り第２方向に沿う第４仮想直線
Ｌ７  第３スリット部の凸の頂部を通り第２方向に沿う第５仮想直線
Ｄ１  第１スリット部の凸の頂点同士の距離
Ｄ２  第２スリット部の凸の頂点同士の距離
Ｄ３  第１指挿入部同士間の距離
Ｄ４  第１仮想線と第３指挿入部との距離
Ｄ５  第２仮想線と第３指挿入部との距離
Ｄ６  第３仮想直線同士の第１方向の距離
Ｄ７  第４仮想直線同士の第１方向の距離
Ｄ８  第５仮想直線同士の第１方向の距離
Ｆ  清掃具の指先側領域
Ｐ  清掃具の掌領域
Ｗ  清掃具の手首側領域
Ｘ  第１方向
Ｙ  第２方向
【図１】
2019017877.tif 000003
【図２】
2019017877.tif 000004
【図３】
2019017877.tif 000005
【図４】
2019017877.tif 000006
【図５】
2019017877.tif 000007
【図６】
2019017877.tif 000008
【図７】
2019017877.tif 000009
【図８】
2019017877.tif 000010
【図９】
2019017877.tif 000011
【図１０】
2019017877.tif 000012